(57)【要約】【課題】メニュー選択を容易にするため、少ないキー操作で操作可能なグラフィカルユーザインタフェースを提供する。【解決手段】項目を上下２行に並べて２項目ずつ表示する表示手段と、左右キーの入力により表示手段にて表示される２項目を他の２項目に切り替える切り替え手段と、上下キーの入力により表示手段にて表示される２項目のうち１項目を決定する決定手段とを備える。【選択図】図３
2010003077.tif 000002
【特許請求の範囲】
【請求項１】
項目を上下２行に並べて２項目ずつ表示する表示手段と、
左右キーの入力により前記表示手段にて表示される２項目を他の２項目に切り替える切り替え手段と、
上下キーの入力により前記表示手段にて表示される２項目のうち１項目を決定する決定手段とを備えることを特徴とする入力装置。
【請求項２】
項目を左右２列に並べて２項目ずつ表示する表示手段と、
上下キーの入力により前記表示手段にて表示される２項目を他の２項目に切り替える切り替え手段と、
左右キーの入力により前記表示手段にて表示される２項目のうち１項目を決定する決定手段とを備えることを特徴とする入力装置。
【請求項３】
前記項目は、前記表示手段にて表示しないように非表示設定にされることを特徴とする請求項１又は２に記載の入力装置。
【請求項４】
前記決定手段により決定された最後の項目について記憶する記憶手段を有し、
前記記憶手段に記憶された項目を項目選択画面の起動時に表示することを特徴とする請求項１から３のいずれか1項に記載の入力装置。
【請求項５】
前記記憶手段は、前記決定手段により決定された最後の項目についてカウントするカウント手段を有し、
前記カウント手段にてカウントされた回数の最も多い項目を項目選択画面の起動時に表示することを特徴とする請求項１から３のいずれか１項に記載の入力装置。
【発明の詳細な説明】
【技術分野】
【０００１】
本発明は、複数の項目からユーザが所望のメニュー項目を選択し、決定する入力装置に関する。
【背景技術】
【０００２】
プリンタなどのグラフィカルユーザインタフェースにおいて、ユーザが行おうとする処理動作の種類などをユーザが設定しやすいようメニューとして並べて一覧表示している。
【０００３】
図１５に従来のメニュー画面を示す。従来の画像形成装置に表示されるメニューは、一般的に図のような横一列、あるいは縦一列に並べて表示を行っていた。
【０００４】
図のように横一列で表示されたメニュー画面においては、まず左のメニューがフォーカスされ、ここから目的のメニューまで左右の矢印キーで移動を行い、到達後決定ボタンで所望のメニューを選択することになる。以後、この繰り返しによりメニューの選択を行うこととなる。
【０００５】
また、その際表示されるメニュー画面において、２行の表示領域があるにもかかわらず、表示領域に1行のみで表示されることもあり、目的のメニューを探し出すことが困難であった。
【０００６】
例えば特許文献１では、複数の設定メニューからなる階層型メニューの操作性を向上させるために、メニューを画面ごとに分けて階層ごとに表示し、各設定画面での表示結果を一覧にする技術について開示されている。
【特許文献１】特開２００１−２７３０６８号公報
【発明の開示】
【発明が解決しようとする課題】
【０００７】
しかしながら、従来のようにメニューを一列に並べる方法では、メニューの数が多くなった場合に目的のメニューに到達するためにはキーを何回も押す必要があるので、操作手順が増えてしまい煩わしいといった問題があった。
【０００８】
そこで本発明は、メニュー選択を容易にするため、少ないキー操作で操作可能なグラフィカルユーザインタフェースを提供することを目的とする。
【課題を解決するための手段】
【０００９】
上記課題を解決するため、本発明における入力装置は、項目を上下２行に並べて２項目ずつ表示する表示手段と、左右キーの入力により表示手段にて表示される２項目を他の２項目に切り替える切り替え手段と、上下キーの入力により表示手段にて表示される２項目のうち１項目を決定する決定手段とを備えることを特徴とする。
【００１０】
項目を左右２列に並べて２項目ずつ表示する表示手段と、上下キーの入力により表示手段にて表示される２項目を他の２項目に切り替える切り替え手段と、左右キーの入力により表示手段にて表示される２項目のうち１項目を決定する決定手段とを備えることを特徴とする。
【００１１】
項目は、表示手段にて表示しないように非表示設定にされることを特徴とする。
【００１２】
決定手段により決定された最後の項目について記憶する記憶手段を有し、記憶手段に記憶された項目を項目選択画面の起動時に表示することを特徴とする。
【００１３】
記憶手段は、決定手段により決定された最後の項目についてカウントするカウント手段を有し、カウント手段にてカウントされた回数の最も多い項目を項目選択画面の起動時に表示することを特徴とする。
【発明の効果】
【００１４】
本発明により、メニューを二行に配置し、上下二つのメニューを同時にフォーカスすることで、左右キーでフォーカスを移動し、上下キーで決定できることになり、キー操作回数を減らすことができ、メニュー選択時のユーザによる操作手順を軽減することが可能となる。
【発明を実施するための最良の形態】
【００１５】
図1は、本発明の実施形態における画像形成装置のシステム構成図である。
【００１６】
本システムは、複数のＰＣ１０１と画像形成装置１０２とを有し、それぞれがネットワーク１０３、又はＵＳＢケーブル１０４とを介して通信可能に接続される。各ＰＣ１０１はデータの作成、あるいは処理を行い、ネットワーク１０３、又はＵＳＢケーブル１０４を介して接続された画像形成装置１０２に印刷データを送信し、画像形成装置１０２にて印刷が行われる。
【００１７】
図２は、画像形成装置の全体構成を示す図である。本画像形成装置は、搬送ベルト２０１、搬送ローラ２０２、２０３、ガイドロッド２０４、２０５、キャリッジ２０６、印字ヘッド２０７（記録ヘッド）を有する。
【００１８】
無端状の搬送ベルト２０１は、両端に備えられた搬送ローラ２０２、２０３の駆動に伴って回転し、記録媒体２０８を搬送する。キャリッジ２０６は、ガイドロッド２０４、２０５によって支持され、ガイドロッドに沿って矢印で示すキャリッジ走査方向に走査する。キャリッジ２０６の走査毎に搬送ベルト２０１は駆動して記録媒体を搬送させ、全体を印字する。また、キャリッジ２０６には印字ヘッド２０７が備えられており、インクを吐き出して記録媒体２０８に記録を行う。印字ヘッドは、シアン、マゼンタ、イエロー、ブラックの各色が備えられフルカラー印刷を行うことが可能である。
【００１９】
図３は、本発明の実施形態におけるメニュー画面を示す図である。
【００２０】
本実施形態によれば、メニュー項目を２行にわたって表示する。また、縦一列の２つのメニュー群に対して同時にフォーカスをあてる。
【００２１】
上記構成により、ユーザは左右キーによってフォーカスを左右の１群ずつ移動させ、上下キーによって表示されている１群のうち所望のメニューを１つに絞って決定することが可能となる。
【００２２】
また、同時に２行分のメニューを表示することで、１行だけで並べるよりも１画面におけるメニュー数が増え、視認性を向上させることができる。さらに、二つのメニューを同時にフォーカスしていることにより、メニューの移動速度が２倍となり、キー操作回数を軽減することができる。また、上下キーを押下することでそれぞれ対応した上下のメニューを決定することができ、決定キーを特別設ける必要は無い。
【００２３】
なお、メニューを左右二列に並べて、上下キーでフォーカスを移動し、左右キーで決定するよう構成してもよい。
【００２４】
図３の例では、メニュー「ＣＣＣ」「ＤＤＤ」上にフォーカス１があり、このときに上キーを押した場合にはメニュー「ＣＣＣ」が実行され、下キーを押した場合には、メニュー「ＤＤＤ」が実行され、サブメニューを表示するメニューの場合はサブメニューが表示される。また、左キーを押した場合には、フォーカス１は「ＡＡＡ」「ＢＢＢ」の２つのメニュー群へと移動し、右キーを押した場合には、「ＥＥＥ」「ＦＦＦ」の２つのメニュー群へと移動する
【００２５】
図４は、メニュー構造の具体例を示す図である。第一階層には「システムセッテイ」、「ネットワークセッテイ」、「ヨウシセッテイ」「テストインサツ」、「メンテナンス」、「カウンター」、「ヒョウジゲンゴ」があり、例えば、「システムセッテイ」を選択すると第二階層である「エラースキップ」、「ホジョヨウシサイズ」・・・などのメニューが表示されることになる。
【００２６】
図１６は、図４で示す設定項目メニューを従来の２行ＬＳＤ表示領域にて表示した例である。
【００２７】
図１６は、図１５を具体的なメニュー項目を用いて示す図であり、表示領域は２行存在する。従来では、２行表示可能な画面においてもメニュー項目自体は下段の１行しか表示されない。また、メニュー項目を表示していない上段の１行については、＜メニュー＞と表示されているだけであり、メニュー選択画面を示唆するものであるが、メニュー選択を行っていることをユーザがわかっていれば特別意味のあるものではなくなる。
【００２８】
下段に「システムセッテイ」が表示されている状態（上図）で下キーを押せば、「システムセッテイ」のメニュー項目が「ネットワークセッテイ」（下図）に変更される。下段に表示されているメニュー項目が所望のメニューになったときに決定キーを押せば、そのとき表示されていたメニューが実行される。
【００２９】
従来技術において、所望のメニューを表示するためには、上記のようにメニュー項目を１つずつコマ送りで探し出さなければならないので、メニュー数が多い場合には操作に時間がかかることになる。なお、決定キーについては図示しないが、ＬＳＤ上に表示されることもある。
【００３０】
図５は、本発明の実施形態における２行ＬＳＤ表示領域のメニュー表示例である。
【００３１】
図５は、図４に示すメニュー項目を用いて具体的に示す図であり、２行表示可能なＬＳＤにてメニュー選択する例である。本実施形態においては、１画面にメニュー項目は上下２行に並べて表示され、画面の左右には「マエ＜」「＞ツギ」と表示し、左キーで前２つのメニュー、右キーで次２つのメニューへ移動することがわかるよう構成される。「システムセッテイ」及び「ネットワークセッテイ」の２項目が表示されている状態（左図）で右キーを押した場合には、次の２項目である「ヨウシセッテイ」及び「テストインサツ」（右図）に切り替わる。このときに上下キーを押すことで表示されているメニューのうち所望のメニューを決定できる。例えば、左図において上キーを押せば、「システムセッテイ」が選択されたことになり、下キーを押した場合には「ネットワークセッテイ」が選択される。また、上下キーでの決定についての事項は、実際のキーの近辺に記載し、ＬＳＤ上では表示していない。
【００３２】
図６は、本発明の他の実施形態における２行ＬＳＤ表示領域のメニュー表示例である。
【００３３】
メニュー選択画面であることを明確にするため、左上に「メニュー：」と表示している。これによりユーザは、現在の表示画面がメニュー選択画面であることを認識することができる。また、本実施形態では図５のように「マエ」「ツギ」の表示はされていないが、左右キーを押すことでメニューの移動ができることを実際のキーの近辺に記載し、ＬＳＤ上では左右を示すキーのみを表示して視認性を高めている。
【００３４】
図７は、本発明の実施形態におけるメニュー設定画面を示す図である。
【００３５】
メニューを開くたびに初期画面になるようなメニュー表示では、頻繁に同じメニューを選ぶような場合に、毎回同様の操作を行って該当メニューを開く必要があるため、メニューが多く存在する場合には大変煩わしい。そこで、図に示す「最後に開いたメニュー画面を記憶する」の設定項目にチェックを入れることによって、最後に選択したメニューを記憶してメニューを開く際には、最後に開いたメニューをデフォルト表示とすることができる。一方、あまり使用しないメニュー項目を選択する場合や、メニュー項目自体が少なく常に初期画面でよい場合にはチェックを外せば良い。これにより、同じメニュー画面から同じコマンドを選ぶ際、初期画面のメニュー画面から選択しなおす必要がなくなり、ユーザの利便性を向上させることができる。
【００３６】
また、最初に表示するメニュー画面は最後に表示した画面に限らず、例えばメニュー選択回数を所定回数カウントし、最も使用頻度の高いメニュー画面を表示するように攻勢しても良い。
【００３７】
図８は、カスタマイズしたメニューを示す図である。
【００３８】
メニューの中でも頻繁に使用するメニューと特別な環境等におかれないと使用しないようなメニューとがある。普段使わないようなメニューであっても、毎回全ての設定メニューが表示されると所望のメニューを表示させるのに時間がかかってしまう。そこで、メニュー選択時のキー押下回数を可能な限り減らすため、必要なメニューのみをユーザ自身の手でカスタマイズできるように構成する。
【００３９】
図８は、「ＥＥＥ」「ＦＦＦ」の２つのメニューを表示させないよう設定する際の表示例である。すなわち、「ＡＡＡ」〜「ＦＦＦ」の６つのメニュー項目の中から普段使用することがない「ＥＥＥ」及び「ＦＦＦ」を削り、メニューの数を４つに軽減している。このとき、例えば「ＡＡＡ」「ＢＢＢ」にフォーカスがある状態で、右キーを押せば「ＣＣＣ」「ＤＤＤ」にフォーカスが移動し、左キーを押したときにも「ＥＥＥ」「ＦＦＦ」を飛ばして、右キーを押したときと同様に「ＣＣＣ」「ＤＤＤ」にフォーカスが移動することになる。なお、編集画面の表示方法はこの限りではなく、メニューの前にｏｎ／ｏｆｆのチェック欄を設け、ｏｎにセッテイされたメニューのみを表示させるなどの方法も考えられる。
【００４０】
図９は、２行ＬＳＤ表示領域を用いた場合のメニューのカスタマイズ画面を示す図である。
【００４１】
図９は、図４に示すメニュー項目を用いて具体的に示す図であり、２行表示可能なＬＳＤにてメニューをカスタマイズする際の例である。図９の左図のような表示画面において、上キーを押した場合には「システムセッテイ」の右側に表示される「スル」、「シナイ」が切り替わり、「システムセッテイ」の表示有無が切り替わる。同様に、下キーを押した場合には「ネットワークセッテイ」の右側に表示される「スル」、「シナイ」が切り替わり、「ネットワークセッテイ」の表示有無が切り替わる。また、左右キーを押すことで右図で示す「ヨウシセッテイ」「テストインサツ」の表示画面に切り替わり、同様に上下キーで両項目の表示有無を切り替えることが可能である。このように左右キーでメニュー項目を切り替え、上下キーで「スル」「シナイ」を切り替えることにより、全てのメニューに対して、表示有無を切り替えることができる。
【００４２】
図１０は、表示されるメニュー項目をカスタマイズした際の表示例である。
【００４３】
図１０では、「ネットワークセッテイ」及び「ヨウシセッテイ」が非表示設定となっている。すなわち、「システムセッテイ」及び「テストインサツ」が表示されており、「テストインサツ」より先に表示されるべき「ネットワークセッテイ」「ヨウシセッテイ」は表示されない。このように、ネットワーク接続を行わない場合などに「ネットワークセッテイ」を表示させないといったようにユーザが頻繁に使用するメニュー項目のみを表示させることでキー操作回数を減らすことが可能となる。
【００４４】
図１１は、メニューのカスタムを行う場合のメニュー構造を示す図である。すなわち、メニューをカスタムするための画面を表示させるためのメニューを追加した場合のメニュー全体の構造を示している。
【００４５】
図４と比較して、第一階層に「メニューカスタム」というメニューが追加される。該メニュー項目を選ぶことにより、所望のメニューのみ表示させるためのメニューのカスタムを行うことができるようになる。
【００４６】
本実施形態によれば、メニューの個数が一つ増えてしまうことになるが、メニューのカスタムを行うことで不必要なメニューを表示させないことができるため、メニューが増えることによるデメリットよりもカスタムが可能であることのメリットのほうが大きい。
【００４７】
表1は、本発明の実施形態におけるメニュー表示を用いた際のキー押下回数の期待値の従来との比較である。
【００４８】
【表１】
2010003077.tif 000003
【００４９】
メニューが1つしかない場合には、従来及び本発明の実施形態ともに決定ボタンを押すだけでよいので押下回数の期待値は1回となる。
【００５０】
従来表示では、メニューが２つある場合には、フォーカスがあたっている最初のメニューを選択するための押下回数は1回。フォーカスが当たっていない次のメニューを選択するための押下回数は、フォーカスを移動させるのに1回、決定するのに1回の合計２回の押下が必要となる。そのため、キー押下の期待値としては次式により算出される。
【００５１】
【数１】
2010003077.tif 000004
【００５２】
一方、本実施形態を用いた場合には、２つのメニューを同時に表示しているため、メニューが２つあっても１回の押下で選択が可能となるため、期待値は１となる。
【００５３】
以下、メニュー個数が３つ以上の場合も同様の計算にて算出可能である。
【００５４】
すなわち、従来表示によれば、ＬＳＤのメニュー表示が1行しかないため、目的のメニューを探し出すためにはメニュー個数＝キー押下回数が必要となるが、本実施形態を用いることによってメニューを２つずつ移動させることができるのでメニュー個数が1つである場合以外には軒並み押下回数の削減が可能となる。
【００５５】
図１２は、本発明の実施形態におけるメニュー選択時のフローチャートである。
【００５６】
まず、メニューを上下２行で表示する（ステップＳ１１）。次にユーザが左右キーを押したか否かを判断し（ステップＳ１２）、左右キーが押された場合には、次の２つのメニューを上下２行で表示する（ステップＳ１３）。次メニュー表示後、あるいは左右キーがステップＳ１２で押されなかった場合には、ユーザが上下キーを押したか否かを判断する（ステップＳ１４）。上下キーが押されない場合にはステップＳ１２へと戻り、上下キーが押された場合には、上又は下に表示された該当メニューを実行する（ステップＳ１５）。なお、メニューを左右２列に並べた場合は、左右と上下のキー操作が入れ替わることになる。
【００５７】
図１３は、本発明の実施形態におけるメニューの表示／非表示を切り換える際のプログラム例である。
【００５８】
メニューの各項目において、表示をするかしないかの値を1対1で関連付け、1の場合には表示を行う、０の場合は表示を行わないようにする。その際、キーが押下される度に０と１とを切り替える。実際の表示を行う際には、１に関連付けられたメニューのみが表示される。
【００５９】
図１４は、本発明の実施形態におけるメニュー編集時のフローチャートです。
【００６０】
先ず、表示領域に表示するメニューの内容を一覧表示する「表示リスト」を表示する（ステップＳ２１）。選択されたメニューが追加されたか否かを判断し（ステップＳ２２）、追加されれば該メニューを表示リストに追加する（ステップＳ２３）。追加後、あるいはメニューが追加されなかった場合には、選択されたメニューが削除されたか否かを判断し（ステップＳ２４）、削除されれば該メニューを表示リストから削除する（ステップＳ２５）。削除後、あるいはメニューの削除が行われなかった場合には、ユーザにより編集終了が指示されたか否かを判断し（ステップＳ２６）、終了指示をされれば終了し、されない場合には、ステップＳ２２のメニューの追加判断を行う。
【００６１】
図１３で示す例を用いると、「表示リスト」は「値」に相当し、「表示リストに追加」は「値を１」に、「表示リストから削除」は「値を０」にすることに相当する。
【００６２】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。なお画像形成装置の例として、インクジェット記録装置だけでなく、電子写真方式の画像形成装置にも適用が可能である。また画像形成装置だけでなく、表示手段を有している装置、例えば、携帯電話やゲーム機やパーソナルコンピュータなどにも適用が可能である。携帯電話やゲーム機の場合には、画面が小さかったり、入力するキーの数が限られたりするため、本発明の適用は有効である。
【図面の簡単な説明】
【００６３】
【図１】本発明の実施形態に係る画像形成装置の全体構成を示す図である。
【図２】本発明の実施形態に係る画像形成装置の構成図である。
【図３】本発明の実施形態に係るメニュー画面を示す図である。
【図４】メニュー構造の具体例である。
【図５】本発明の実施形態に係るメニュー画面を示す図である。
【図６】本発明の実施形態に係るメニュー画面を示す図である。
【図７】メニュー設定画面を示す図である。
【図８】本発明の他の実施形態に係るメニュー画面を示す図である。
【図９】本発明の他の実施形態に係るメニュー画面を示す図である。
【図１０】本発明の他の実施形態に係るメニュー画面を示す図である。
【図１１】メニュー設定画面を示す図である。
【図１２】本発明の実施形態に係るメニュー選択時のフローチャート図である。
【図１３】メニュー項目の表示／非表示を切り替えるプログラム例である。
【図１４】表示メニュー編集時のフローチャート図である。
【図１５】従来のメニュー画面を示す図である。
【図１６】従来のメニュー画面を示す図である。
【符号の説明】
【００６４】
１０１    ＰＣ
１０２    画像形成装置
１０３    ネットワーク
１０４    ＵＳＢケーブル
【図１】
2010003077.tif 000005
【図２】
2010003077.tif 000006
【図３】
2010003077.tif 000007
【図４】
2010003077.tif 000008
【図５】
2010003077.tif 000009
【図６】
2010003077.tif 000010
【図７】
2010003077.tif 000011
【図８】
2010003077.tif 000012
【図９】
2010003077.tif 000013
【図１０】
2010003077.tif 000014
【図１１】
2010003077.tif 000015
【図１２】
2010003077.tif 000016
【図１３】
2010003077.tif 000017
【図１４】
2010003077.tif 000018
【図１５】
2010003077.tif 000019
【図１６】
2010003077.tif 000020